(57)【特許請求の範囲】
【請求項１】
両側をウォブルしたグルーブと、隣り合う前記グルーブ間に位置したランドとを対にしたトラックがディスク基板上で螺旋状又は同心円状に形成され、且つ、前記ランド上には前記グルーブに記録する情報信号へのアドレス情報がランドプリピットとして予め形成されていると共に、前記ランドプリピットは前記グルーブの両側で一方が前記グルーブの波形の山側に連接し、他方が前記グルーブの波形の谷側に連接して両者がそれぞれ所定の間隔を保ちつつ互いに一致しないように位置をずらして形成された光ディスクを用いて、ビームスポットで前記光ディスク上の前記グルーブを走査しながら前記光ディスクからの反射光をトラック方向に沿って少なくとも２分割した第１，第２受光領域を有するホト・ディテクタで受光し、前記第１，第２受光領域の各出力の差信号によるラジアルプッシュプル信号から前記グルーブに連接した前記ランドプリピットを検出するように構成した光ディスク装置であって、
前記第１，第２受光領域の各出力のうちいずれか一方の出力に対して第１係数を乗算する第１係数回路と、
前記一方の出力に対して前記第１係数とは異なる第２係数を乗算する第２係数回路と、
前記第１，第２受光領域の各出力のうちの他方の出力と前記第１係数回路の出力との差信号により、山側の前記ランドプリピットのランドプリピット信号を検出するための第１ラジアルプッシュプル信号を生成する第１ラジアルプッシュプル信号生成手段と、
前記他方の出力と前記第２係数回路の出力との差信号により、谷側の前記ランドプリピットのランドプリピット信号を検出するための第２ラジアルプッシュプル信号を生成する第２ラジアルプッシュプル信号生成手段と、
前記第１ラジアルプッシュプル信号から前記グルーブのウォブル信号を抽出する第１ウォブル信号抽出手段と、
前記第２ラジアルプッシュプル信号から前記グルーブのウォブル信号を抽出する第２ウォブル信号抽出手段と、
前記第１ウォブル信号抽出手段で抽出した前記グルーブのウォブル信号に対して第１ＤＣバイアス電圧を加算して、山側の前記ランドプリピット信号に対する第１スライスレベルを設定する加算手段と、
前記第２ウォブル信号抽出手段で抽出した前記グルーブのウォブル信号に対して第２ＤＣバイアス電圧を減算して、谷側の前記ランドプリピット信号に対する第２スライスレベルを設定する減算手段と、
前記第１ラジアルプッシュプル信号を前記加算手段で設定した前記第１スライスレベルに基づいてスライスして、山側の前記ランドプリピット信号を２値化する第１ＬＰＰ２値化手段と、
前記第２ラジアルプッシュプル信号を前記減算手段で設定した前記第２スライスレベルに基づいてスライスして、谷側の前記ランドプリピット信号を２値化する第２ＬＰＰ２値化手段と、
を備えることを特徴とする光ディスク装置。
【請求項２】
前記第１，第２ウォブル信号抽出手段は、山側及び谷側の前記ランドプリピット信号が存在しない時には前記第１，第２ラジアルプッシュプル信号に対してサンプリングを行い、山側及び谷側の前記ランドプリピット信号が存在する期間中は山側及び谷側の前記ランドプリピット信号をマスキングすることで前記ウォブル信号を抽出することを特徴とする請求項１記載の光ディスク装置。
【発明の詳細な説明】
【０００１】
【発明の属する技術分野】
本発明は、両側をウォブル（蛇行）したグルーブと、隣り合うグルーブ間に位置したランドとを対にしたトラックが、ディスク基板上で最内周から最外周に亘って螺旋状又は同心円状に形成され、且つ、ランド上にはグルーブに記録する情報信号へのアドレス情報などがランドプリピットとして予め形成されている光ディスクを用いて、グルーブの両側に形成した各ランドプリピットを確実に再生できるように構成した光ディスク装置に関するものである。
【０００２】
【従来の技術】
一般的に、ＣＤ（Ｃｏｍｐａｃｔ  Ｄｉｓｃ），ＤＶＤ（Ｄｉｇｉｔａｌ  Ｖｅｒｓａｔｉｌｅ  Ｄｉｓｃ）などの光ディスクは、映像情報とか音声情報やコンピュータデータなどの情報信号を円盤状のディスク基板上で螺旋状又は同心円状に形成したトラックに高密度に記録及び／又は再生でき、しかも所望のトラックを高速にアクセスできることから多用されている。
【０００３】
一方、情報信号をより一層高密度に記録再生できる光ディスク及び光ディスク記録再生装置が要求され、この要求を満たすために各種の改善が行われており、この一例として、光ディスク上でトラックのトラック幅及びトラックピッチなどを狭めて情報信号への高密度化を図る方法が採用されている。これに伴って、狭いトラック幅及び狭いトラックピッチでもアドレス情報の読取りや光ディスクの回転制御を正確に得るために、ウォブル（蛇行）したグルーブ（溝）と、隣り合うグルーブ間に位置するランドとを対にしたトラックが、ディスク基板上で最内周から最外周に亘って螺旋状又は同心円状に形成され、且つ、ランド上にはグルーブに記録する情報信号への補助情報がランドプリピットとして予め形成された光ディスク及びこの光ディスクを記録再生するための光ディスク記録再生装置が、例えば、特開平９−３２６１３８号公報，特開平１０−２９３９２６号公報などに開示されている。
【０００４】
図１６は従来の光ディスクの一例を説明するための図であり、（ａ）はウォブルしたグルーブと隣り合うグルーブ間に位置するランドとを対にしたトラックを示し、（ｂ）は内周側，外周側のランドプリピットによるパルスを示した図、
図１７は従来の光ディスクの他例を説明するための図である。
【０００５】
まず、上記した特開平９−３２６１３８号公報に開示された光記録媒体及びその記録再生方法、記録再生装置では、ＣＬＶ（Ｃｏｎｓｔａｎｔ  ＬｉｎｅａｒＶｅｌｏｃｉｔｙ…線速度一定）回転制御方式の光ディスクを用いて情報信号の高密度記録再生を目的としており、図１６（ａ）に示した如く、光ディスク１００は、単一周波数でウォブル（蛇行）したグルーブ１０１と、隣り合うグルーブ１０１，１０１間に形成したランド１０２とが不図示のディスク基板上にスパイラル（螺旋状）に形成されている。
【０００６】
この際、グルーブ１０１は幅約０．２５μｍ、深さ約７０ｎｍ、トラックピッチ０．７４μｍに形成されている。また、グルーブ１０１とグルーブ１０１の間に形成したランド１０２上には、アドレス情報を予め記録したランドプリピット（公報中ではアドレスピットと記載されている）１０３が所定の間隔を隔てて形成されており、このランドプリピット１０３は幅約０．３μｍ、深さがグルーブ１０１と同じで約７０ｎｍの溝として隣り合うグルーブ１０１，グルーブ１０１間に跨がって形成されている。
【０００７】
また、上記した光ディスク１００を記録再生する記録再生方法及び記録再生装置では、光ディスク１００上の一つのグルーブ１０１とこれ隣接するランド１０２とにビームスポットＢを照射してグルーブ１０１から検出したウォブル信号により光ディスク１００の回転制御を行うと共に、ランド１０２上のランドプリピット１０３から検出したパルスにより光ディスク１００上でのアドレス情報を読み取っている。
【０００８】
この際、図１６（ｂ）に示したように、グルーブ１０１に沿ってビームスポットＢを走査した時に、走査中のグルーブ１０１に対して内周側のランド１０２上に形成した内周側のランドプリピット１０３によるパルスと、走査中のグルーブ１０１に対して外周側のランド１０２上に形成され且つ内周側とは逆な極性を有した外周側のランドプリピット１０３によるパルスとが得られるものの、いずれか一方のランドプリピット１０３によるパルスに基づいてアドレス情報を検出している。この際、同号公報中には、内周側又は外周側のランドプリピット１０３によるパルスを得る際に、ランドプリピット１０３による信号を２値化してパルスを得る具体的な説明は開示されていない。
【０００９】
尚、ランド１０２上に形成したランドプリピット１０３はグルーブ１０１とグルーブ１０１とに跨がって形成されているために、ビームスポットＢで走査中のグルーブ１０１に対して外周側のランドプリピット１０３が現在走査中のグルーブ１０１のアドレス情報を示すとするならば、これに対して内周側のランドプリピット１０３は現在走査中のグルーブ１０１よりも１トラック前の内周側のグルーブ１０１に対するアドレス情報を示すものである。
【００１０】
次に、上記した特開平１０−２９３９２６号公報に開示された記録用クロック信号発生装置では、光ディスクとしてＣＤ−Ｒ（ＣＤ−Ｒｅｃｏｒｄａｂｌｅ）に対して約７倍に記録容量を向上させたＤＶＤ−Ｒ（ＤＶＤ−Ｒｅｃｏｒｄａｂｌｅ）が適用され、ここでも情報信号の高密度記録再生を目的としており、図１７に模式的に示した如く、光ディスク２００は、所定の周波数成分のウォブル信号でウォブルしたグルーブトラック２０１と、隣り合うグルーブトラック２０１間に形成したランドトラック２０２とが不図示のディスク基板上に螺旋状又は同心円状に形成され、且つ、ランドトラック２０２上にウォブル信号に対して所定の位相関係を有するランドプリピット２０３が予め形成されている。また、光ディスク２００はＤＶＤ−Ｒに適用されているために、情報信号を記録するグルーブトラック２０１が予め情報単位としてのシンクフレームごとに分割されている。そして、２６のシンクフレームにより一つのレコーディングセクタが構成され、更に、１６のレコーディングセクタにより一つのＥＣＣ（Ｅｒｒｏｒ  Ｃｏｒｒｅｃｔｉｎｇ  Ｃｏｄｅ）ブロックが構成されている。なお、一つのシンクフレームは、情報信号を記録する際の記録フォーマットにより規定されるピット間隔に対応する単位長さ（以下、Ｔという。）の１４８８倍（１４８８Ｔ）の長さを有しており、更に、一つのシンクフレームの先頭の１４Ｔの長さの部分はシンクフレーム毎の同期をとるための同期情報ＳＹとして用いられている。
【００１１】
一方、光ディスク（ＤＶＤ−Ｒ）２００のランドトラック２０２上に記録されるランドプリピット２０３は、シンクフレーム毎に記録される。この際、夫々のシンクフレームにおける同期情報ＳＹが記録される領域に隣接するランドトラック２０２上に、プリ情報における同期信号を示すものとして必ず一つのランドプリピット２０３が形成されていると共に、当該同期情報ＳＹ以外の当該シンクフレーム内の前半部分に隣接するランドトラック２０２上に、記録すべきプリ情報の内容を示すものとして一つ又は二つのランドプリピット２０３が形成されている（なお、同期情報ＳＹ以外の当該シンクフレーム内の前半部分については、記録すべきプリ情報の内容によってはランドプリピット２０３が形成されない場合もある。）。更に、一つのレコーディングセクタにおいては、偶数番目のシンクフレーム（ＥＶＥＮフレーム）又は奇数番目のシンクフレーム（ＯＤＤフレーム）のいずれか一方のシンクフレームにランドプリピット２０３が形成されてプリ情報が記録すべき情報の内容に対応して設定されている。
【００１２】
そして、上記した記録用クロック信号発生装置では、ウォブルしたグルーブトラック２０１から抽出したウォブル信号の位相を担う信号と、ランドトラック２０２上のランドプリピット２０３から検出したランドプリピット信号との位相を比較して位相差信号を出力し、当該位相差信号に基づいてクロック信号の位相を調整することで、クロストークの影響を無視できないウォブル信号に基づいて生成されるクロック信号の時間軸上の変動を、クロストークの影響を受けないランドプリピット２０３を用いて補正しているので、光ディスク２００の回転に高い精度で同期した記録用クロック信号を生成することが可能となっている。
【００１３】
【発明が解決しようとする課題】
ところで、上記した従来の光ディスク及び従来の光ディスクを適用する光ディスク記録再生装置では、情報信号への高密度化を図る際に、光ディスク１００，２００上にそれぞれ形成したグルーブ１０１，２０１と、ランドプリピット１０３，２０３をそれぞれ有するランド１０２，２０２とを狭トラック化しているものの、更に、情報信号に対してより一層高密度化を図るために２０ギガ程度の記録容量を備えた超高密度な光ディスクの開発研究が盛んに行われている。このような超高密度な光ディスクでは、トラックピッチを先に説明した一例の光ディスク１００におけるトラックピッチ０．７４μｍに対して例えば１／２以下に設定することでより一層狭トラック化が図られることになる。
【００１４】
このように開発中の超高密度な光ディスクにおいて、アドレス情報などを示すランドプリピットをランド上に予め形成して、このランドプリピットからアドレス情報などを検出する際に、より一層の狭トラック化により、ランドプリピットの出力が小さくなってしまい、ランドプリピットからアドレス情報などを確実に取得できない場合が起こり得る。
【００１５】
一方、従来技術で説明した特開平９−３２６１３８号公報に開示された光ディスク１００においては、図１６（ｂ）を用いて前述したように、グルーブ１０１に沿ってビームスポットＢを走査した時に、内周側のランドプリピット１０３によるパルスと、外周側のランドプリピット１０３によるパルスのいずれか一方のランドプリピット１０３によるパルスに基づいてアドレス情報を検出しているが、この場合には開発中の超高密度な光ディスクに対してトラックピッチがまだ幅広いために、ランド１０３上にランドプリピット１０３を幅広く確実に形成できるので内周側又は外周側のうち一方側のランドプリピット１０３を検出することでアドレス情報などを確実に検出できるものである。
【００１６】
しかしながら、開発中の超高密度な光ディスクでは、物理的にトラック間隔が狭いために、内周側又は外周側のランドプリピットの一方側だけでは信頼性が低くなるために、内周側及び外周側のランドプリピットを検出することで、一方が読み取れない時に他方で補うことが可能となるので、信頼性が向上できるものの、この場合に、単一周波数又は所定の周波数でウォブルされているグルーブの波形は山と谷を繰り返したｓｉｎｅカーブ又はｃｏｓｉｎｅカーブで形成されているため、例えばグルーブの波形の山側に接続したランドプリピットを外周側（又は内周側）と設定し、一方、グルーブの波形の谷側に接続したランドプリピットを内周側（又は外周側）と設定した時に、ランドプリピットを２値化する場合に山側（外周側）のランドプリピットと谷側（内周側）のランドプリピットでは一つのスライスレベル（閾値）に対して検出精度が異なってしまい、とくに、谷側（内周側）のランドプリピットはグルーブの波形の谷内にあるため検出しにくく、山側（外周側）及び谷側（内周側）のランドプリピットを同等の検出精度で読み取ることができないという問題点が生じている。
【００１７】
更に、従来例の光ディスク１００，２００上に形成したグルーブ１０１，２０１は単一周波数又は所定の周波数でウォブルされているために、両光ディスク１００，２００は共にＣＬＶ（線速度一定）で回転制御されながら情報信号の記録再生を行うため、以下の▲１▼，▲２▼項に記載した問題点を有しており、これらの問題点について図１８を用いて説明する。
【００１８】
図１８は従来の光ディスクにおいて、（ａ）はウォブルしたグルーブのウォブル位相が逆の位相を持つ箇所を模式的に示し、（ｂ）は一つのグルーブの両側に隣接するランド上に形成したランドプリピット同士が重なり合う箇所を模式的に示した図である。
【００１９】
従来の問題点を項目順に説明すると、
▲１▼．従来の光ディスク１００，２００は共にＣＬＶ（線速度一定）で回転制御されているので、ディスク半径方向に隣り合うグルーブのウォブル位相が逆位相になる箇所が発生し、隣接トラックからのクロストークが大きくなり、信号品質が劣化するために記録に使えない領域が光ディスク面上に複数存在する。また、逆位相になるためにランドプリピット信号が、劣化する等の問題が生じる。
【００２０】
より具体的には、図１８（ａ）に示した如く、ディスク半径方向に隣り合う３本のグルーブ１０１（２０１）のうち、中間のグルーブ１０１（２０１）と図示上方のグルーブ１０１（２０１）に形成されているウォブルの位相が、点線で囲んだように反転する場合も起こり得る。このような場合、点線で囲んだ部位では隣り合うグルーブ１０１（２０１）との距離が狭まる部分で記録してある情報信号からのクロストークが大きくなり、信号劣化からデータ誤りを生じたり、記録時に既に記録してある隣接トラックの誤消去などが発生する。
【００２１】
また、図１８（ｂ）に示した如く、ウォブル位相が隣り合うグルーブ１０１（２０１）間で徐々にずれていくに従って、一つのグルーブ１０１（２０１）の両側に隣接するランド１０２（２０２）上のランドプリピット１０３（２０３）の相対位置も変化するため、一つのグルーブ１０１（２０１）の両側で点線で囲んだ部位のランドプリピット１０３（２０３）が互いに重なり合う箇所が生じる。このように点線で囲んだ部位ではランドプリピット１０３（２０３）から検出したランドプリピット信号の出力が十分に得られず、ランドプリピット信号の読み取りに影響が出てくる。
【００２２】
このため、上記したように、隣り合うグルーブ１０１（２０１）間で、ウォブル位相が互いに逆になる部分については、ディジタル情報信号の記録を行わないとか、ランドプリピット１０３（２０３）を記録しないなどの対策が必要であった。
【００２３】
▲２▼．また、一つのグルーブ１０１（２０１）の両側に隣接するランド１０２（２０２）上のランドプリピット１０３（２０３）が互いに重なる箇所が生じる場合には、この箇所で情報信号の再生ができないために、ランドプリピット１０３（２０３）の位置を変えるなどの処理が必要である。
【００２４】
そこで、上記した各問題点を解決できる光ディスク装置が望まれている。
【００２５】
【課題を解決するための手段】
本発明は上記課題に鑑みてなされたものであり、第１の発明は、両側をウォブルしたグルーブと、隣り合う前記グルーブ間に位置したランドとを対にしたトラックがディスク基板上で螺旋状又は同心円状に形成され、且つ、前記ランド上には前記グルーブに記録する情報信号へのアドレス情報がランドプリピットとして予め形成されていると共に、前記ランドプリピットは前記グルーブの両側で一方が前記グルーブの波形の山側に連接し、他方が前記グルーブの波形の谷側に連接して両者がそれぞれ所定の間隔を保ちつつ互いに一致しないように位置をずらして形成された光ディスクを用いて、ビームスポットで前記光ディスク上の前記グルーブを走査しながら前記光ディスクからの反射光をトラック方向に沿って少なくとも２分割した第１，第２受光領域を有するホト・ディテクタで受光し、前記第１，第２受光領域の各出力の差信号によるラジアルプッシュプル信号から前記グルーブに連接した前記ランドプリピットを検出するように構成した光ディスク装置であって、
前記第１，第２受光領域の各出力のうちいずれか一方の出力に対して第１係数を乗算する第１係数回路と、
前記一方の出力に対して前記第１係数とは異なる第２係数を乗算する第２係数回路と、
前記第１，第２受光領域の各出力のうちの他方の出力と前記第１係数回路の出力との差信号により、山側の前記ランドプリピットのランドプリピット信号を検出するための第１ラジアルプッシュプル信号を生成する第１ラジアルプッシュプル信号生成手段と、
前記他方の出力と前記第２係数回路の出力との差信号により、谷側の前記ランドプリピットのランドプリピット信号を検出するための第２ラジアルプッシュプル信号を生成する第２ラジアルプッシュプル信号生成手段と、
前記第１ラジアルプッシュプル信号から前記グルーブのウォブル信号を抽出する第１ウォブル信号抽出手段と、
前記第２ラジアルプッシュプル信号から前記グルーブのウォブル信号を抽出する第２ウォブル信号抽出手段と、
前記第１ウォブル信号抽出手段で抽出した前記グルーブのウォブル信号に対して第１ＤＣバイアス電圧を加算して、山側の前記ランドプリピット信号に対する第１スライスレベルを設定する加算手段と、
前記第２ウォブル信号抽出手段で抽出した前記グルーブのウォブル信号に対して第２ＤＣバイアス電圧を減算して、谷側の前記ランドプリピット信号に対する第２スライスレベルを設定する減算手段と、
前記第１ラジアルプッシュプル信号を前記加算手段で設定した前記第１スライスレベルに基づいてスライスして、山側の前記ランドプリピット信号を２値化する第１ＬＰＰ２値化手段と、
前記第２ラジアルプッシュプル信号を前記減算手段で設定した前記第２スライスレベルに基づいてスライスして、谷側の前記ランドプリピット信号を２値化する第２ＬＰＰ２値化手段と、
を備えることを特徴とする光ディスク装置である。
【００２６】
また、第２の発明は、上記した第１の発明の光ディスク装置において、
前記第１，第２ウォブル信号抽出手段は、山側及び谷側の前記ランドプリピット信号が存在しない時には前記第１，第２ラジアルプッシュプル信号に対してサンプリングを行い、山側及び谷側の前記ランドプリピット信号が存在する期間中は山側及び谷側の前記ランドプリピット信号をマスキングすることで前記ウォブル信号を抽出することを特徴とする光ディスク装置である。
【００３０】
【発明の実施の形態】
以下に本発明に係る光ディスク装置の一実施例を図１乃至図１５を参照して項目順に詳細に説明する。
【００３１】
本発明に係る光ディスク装置を説明する前に、この光ディスク装置に適用される光ディスクについて先に説明する。
【００３２】
＜光ディスク＞
図１は本発明に係る光ディスク装置に適用される光ディスクを説明するための斜視図、
図２は図１に示した光ディスクにおいて、ゾーンの構成を示した平面図、
図３は図１及び図２に示した光ディスクにおいて、ウォブルしたグルーブのウォブル周期を内周側と外周側に分けて模式的に示した図である。
【００３３】
図１に示した如く、本発明に係る光ディスク装置に適用される光ディスク１は、厚さが例えば略０．６ｍｍ程度の透明なディスク基板２を円盤状に形成し、このディスク基板２の一方の面側にｓｉｎｅカーブ又はｃｏｓｉｎｅカーブ状にウォブル（蛇行）されたグルーブ３と、隣り合うグルーブ３間に位置するランド４とを対にしたトラックが、ディスク基板２上で最内周から最外周に亘って螺旋状又は同心円状に形成され、且つ、ランド４上にはグルーブ３に記録する情報信号へのアドレス情報などがランドプリピット５として予め形成されている。
【００３４】
尚、グルーブ３及びランド４の形状は、一般的にグルーブ３が凹状に形成され、ランド４は凸状に形成されているものの、ビームスポットＢを照射する面が反転すれば両者の凹凸関係が逆転するために、グルーブ３及びランド４の凹凸形状は、いずれか一方を凹状に形成し、他方を凸状に形成すれば良いものである。
【００３５】
更に、後述するように、所定数のランドプリピット５に対応して情報信号への記録ブロック単位（ＥＣＣブロック）が割り当てられている。
【００３６】
この際、グルーブ３は情報信号を記録するための記録用トラックとなっており、一方、ランド４上に形成したランドプリピット５は補助情報としてアドレス情報，訂正用パリティなどがピット形態で予め記録されている。
【００３７】
また、グルーブ３及びランド４上には、相変化材料を用いた相変化記録層６と、Ａｌ（アルミニュウム），Ａｕ（金）などを用いた金属反射層７と、保護層８とが順次形成され、更に、保護層８側に厚さが略０．６ｍｍ程度の補強基板９を接着材を用いて貼り合わせて、合計厚さが１．２ｍｍの光ディスク１が形成されている。
【００３８】
従って、光ディスク１は、グルーブ３上に成膜した相変化記録層６により情報信号の重ね書き，情報信号の追記が可能となり、開発中の超高密度な光ディスクに適用可能に構成されている。
【００３９】
そして、透明なディスク基板２の他方の面側から一つのグルーブ３と、このグルーブ３の両側に隣接するランド４，４とにビームスポットＢを照射して、ビームスポットＢがディスク基板２，相変化記録層６を通って金属反射層７で反射された戻りの反射光を、後述する第１実施例の光ディスク記録再生装置２０Ａ（図９）又は第２実施例の光ディスク記録再生装置２０Ｂ（図１５）内にそれぞれ設けた光ピックアップ２３内の４分割型のホト・ディテクタＰＤ（図９〜図１１，図１５）を用いてプッシュプル法により再生信号を検出している。
【００４０】
尚、光ディスク１への更なる記録密度の向上のために情報信号読取り側に位置するディスク基板の厚みを薄くする必要が生じた場合には、図示を省略するものの、厚さが０．５ｍｍ〜１．１ｍｍ程度の厚いディスク基板２にグルーブ３とランド４とを対にしたトラックを螺旋状又は同心円状に形成し、これらのグルーブ３及びランド４上に金属反射層７，相変化記録層６を順に成膜した後、相変化記録層６側に厚さが０．１ｍｍ〜０．２ｍｍ程度の薄い透明フィルムを透明接着材で接着し、この薄い透明フィルム側からビームスポットＢを照射するように光ディスク１を形成する方法もある。
【００４１】
また、図２に示した如く、本発明に係る光ディスク１は、情報信号を記録する記録領域が光ディスク１の半径方向に沿ってディスク基板２の中心孔２ａを中心として同心円状に複数のゾーンに分割されれている。この際、一例として、光ディスク１の直径を１２ｃｍに形成し、且つ、記録領域をゾーン０からゾーンＮ−１までＮ個に分割した場合にゾーン数Ｎは例えば８３であり、且つ、各ゾーン内は例えば１０２４本のトラックで構成されている。
【００４２】
また、光ディスク１への回転制御方式は、ゾーン０からゾーンＮ−１まで各ゾーンごとに光ディスク１の回転数を順次段階的に切り換えて略線速度一定に回転制御されるＺＣＬＶ（Ｚｏｎｅ  Ｃｏｎｓｔａｎｔ  Ｌｉｎｅａｒ  Ｖｅｌｏｃｉｔｙ）方式が採用されると共に、各ゾーン内はＺＣＬＶにより各ゾーンごとに設定された一定の回転数で常に角速度一定に回転制御されるＺＣＡＶ（ＺｏｎｅＣｏｎｓｔａｎｔ  Ａｎｇｕｌａｒ  Ｖｅｌｏｃｉｔｙ）方式が採用されている。
【００４３】
上記した光ディスク１への回転制御方式に伴って、図３に示した如く、ＺＣＬＶ方式によりゾーンごとに光ディスク１の回転数を順次段階的に切り換えているため、内周側の回転数は高く、外周側の回転数は低く設定され、且つ、同じゾーン内ではグルーブ３のウォブルの波長が内周側で短く、外周側で長くなっている。
【００４４】
また、各ゾーン内ではＺＣＡＶ方式により一定の回転数で回転することで、１０２４本のグルーブ３はウォブルの位相が全て同一の位相に形成されているので、各ゾーン内で隣り合うグルーブ３が互いに逆位相なるなどの現象が生じないため、グルーブ３の間隔が狭くなることにより生じる隣接トラックからのクロストークも発生しない。
【００４５】
更に、ランド４上に形成したランドプリピット５は、ｓｉｎｅカーブ又はｃｏｓｉｎｅカーブ状にウォブル（蛇行）されたグルーブ３とグルーブ３とに跨がって接続されており、グルーブ３の波形の山側に連接したランドプリピット５ａを外周側（又は内周側）と設定し、グルーブ３の波形の谷側に連接したランドプリピット５ｂを内周側（又は外周側）に設定した時に、従来例で説明したように、ビームスポットＢで一つのグルーブ３をトラッキングしながら走査する際に、走査中の一つのグルーブ３に対して外周側のランドプリピット５ａが現在走査中のグルーブ３のアドレス情報を示すとするならば、これに対して内周側のランドプリピット５ｂは現在走査中のグルーブ３よりも１トラック前の内周側のグルーブ３に対するアドレス情報を示すものであるから、本発明では、外周側のランドプリピット５ａと内周側のランドプリピット５ｂとを検出することで、仮に外周側のランドプリピット５ａが検出できずにビームスポットＢで走査中のグルーブ３のアドレス情報が読み取れない場合でも、内周側のランドプリピット５ｂを検出することでビームスポットＢで走査中のグルーブ３のアドレス情報を求めることができるので、光ディスク１への高密度化に伴って狭トラック化が図られてもランドプリピット５の検出精度を向上できるものであり、外周側及び内周側のランドプリピット５ａ，５ｂの検出方法については後述する。
【００４６】
次に、光ディスク１上で適宜な一つのゾーン内において、ランド４上に形成したランドプリピット５を中心に図４乃至図８を用いて説明する。
【００４７】
図４は本発明に係る光ディスク装置に適用される光ディスクにおいて、ランド上に形成したランドプリピットを説明するための図であり、（ａ）はランドプリピットの形状を模式的に示した図であり、（ｂ）はランドプリピットを検出した時のランドプリピット信号の波形を示した図、
図５はグルーブの同期フレーム内の信号形態を示した図、
図６はランド上に形成したランドプリピットの種類を説明するための図、
図７は一つのセクタに対応して設けた複数のランドプリピットを示した図、
図８（ａ）は一つのＥＣＣブロック中の一つのセクタのランドプリピットを示し、（ｂ）は一つのＥＣＣブロックと対応するランドプリピットブロックを示した図である。
【００４８】
図４（ａ）に示した如く、光ディスク１上で適宜な一つのゾーン内では、複数のグルーブ３が全て同一の位相でディスク円周方向に沿ってウォブルされており、且つ、グルーブ３の一つの同期フレーム周期は例えば３ウォブル周期に設定されている。
【００４９】
そして、ビームスポットＢで一つのグルーブ３をトラッキングしながら走査した時に、一つのグルーブ３の両側に位置するランド４，４上にそれぞれ形成した山側（外周側）及び谷側（内周側）のランドプリピット５ａ，５ｂを４分割型のホト・ディテクタＰＤ（図９〜図１０，図１５）を用いてプッシュプル法により再生信号中から検出したランドプリピット信号は、図４（ｂ）に示したように、同期フレーム周期ごとに極性が正逆に再生される。この際、プッシュプル法によるランドプリピット信号の検出では、山側（外周側）のランドプリピット５ａによるランドプリピット信号が正極性の出力となり、一方、谷側（内周側）のランドプリピット５ｂによるランドプリピット信号は負極性の出力となる。
【００５０】
また、グルーブ３の一つの同期フレーム周期と対応する一つの同期フレーム内には、図５に示したように、同期信号ＳＹと、情報信号Ｄとが記録される。
【００５１】
また、グルーブ３に記録される情報信号のデータフォーマットは、先に従来例のＤＶＤ−Ｒで説明したと同様に２６個の同期フレーム（シンクフレームで）で一つのセクタ（レコーディングセクタ）が構成されているものの、この実施例では一つのＥＣＣ（Ｅｒｒｏｒ  Ｃｏｒｒｅｃｔｉｎｇ  Ｃｏｄｅ）ブロックがＤＶＤ−Ｒの２倍の３２セクタで構成されている。
【００５２】
図４（ａ）に戻り、グルーブ３間のランド４上に形成したランドプリピット５は、グルーブ３のウォブル周期，同期フレーム周期と対応して設けられている。
【００５３】
より具体的には、ランドプリピット５は、グルーブ３の一つの同期フレーム周期に対して所定の間隔として一つおきに設けられ、且つ、各ランドプリピット５は、ウォブル周期，同期フレーム周期に対して所定の位置に設けられており、更に、一つのグルーブ３の両側に位置するランド４，４上に形成したランドプリピット５ａ，５ｂは、一方がグルーブ３の波形の山側に連接し、他方がグルーブ３の波形の谷側に連接して両者がそれぞれ所定の間隔を保ちつつ互いに一致しないように位置をずらして重なり合わないように設けられている。
【００５４】
即ち、一つのグルーブ３に対して一方側のランド４上に形成したランドプリピット５ａは奇数番目の同期フレームに対応して設けられ、且つ、他方側のランド４上に形成したランドプリピット５ｂは偶数番目の同期フレームに対応して設けられているので、ランドプリピット５ａ，５ｂ同士が一つのグルーブ３の両側で重なり合うことがない。
【００５５】
また、ランドプリピット５は、図６に示したように、３ビット（ｂ２，ｂ１，ｂ０）を用いた組み合わせにより４種類のコードデータが設定されており、３ビット（ｂ２，ｂ１，ｂ０）の配列は連続した３つのウォブル中でウォブル周期に同期した各ウォブルの所定位置に合計で３か所設定されている。
【００５６】
この際、ランドプリピット５の３ビット（ｂ２，ｂ１，ｂ０）の配列は、プリピット同期信号１が（１，１，１）に、プリピット同期信号２は（１，１，０）に、プリピットデータ＝１は（１，０，１）に、プリピットデータ＝０は（１，０，０）に設定されている。
【００５７】
従って、各ランドプリピット５は、４種類のうちのいずれか１つが必ず付与されていると共に、４種類のランドプリピット５はビットｂ２が共通して“１”に設定されており、プリピット同期信号１及びプリピット同期信号２についてはビットｂ１が共に“１”であることにより同期情報であるとして認識され、更に、ビットｂ０が“１”か“０”かを認識することにより１ビットのデータとして扱うことができる。
【００５８】
これに伴って、前述したように、一つのセクタは２６個の同期フレームで構成されているため、同期フレームの同期フレーム周期に対して一つおきに設けたランドプリピット５は一つのセクタと対応して１３個設けられており、図７に示したように配置されている。
【００５９】
また、図８（ａ）に示した如く、一つのＥＣＣブロックは３２セクタで構成されており、各セクタと対応して設けた１３個のランドプリピット５は、１個のプリピット同期信号（１又は２）と、１２個のプリピットデータ（１２ビット）とで構成されている。
【００６０】
更に、図８（ｂ）に示したランドプリピットブロックは、図８（ａ）に示した一つのセクタ内に設けたランドプリピット５を、３２セクタ分まとめて一つのＥＣＣブロックと対応させたものである。
【００６１】
ここで、１セクタ分のランドプリピットに記録する内容は、プリピット同期信号と、ブロック内の相対セクタアドレス、およびＥＣＣブロックアドレスやゾーン番号等のディスクインフォメーションである。この際、ディスクインフォメーションは８ビットを割り当てているので、残る５ビットでプリピット同期信号と相対セクタアドレスを表示しなければならない。しかし、一つのＥＣＣブロック内の３２セクタのアドレスを表すには、５ビット全部必要である。そこで、プリピット同期信号を１ビット、相対セクタアドレスを４ビットとし、プリピット同期信号は前述したように２通りのプリピット同期信号１及びプリピット同期信号２のコードパターンを使用している。これにより、１ビットを用いた２種類のプリピット同期信号１，２による同期信号パターン情報と、プリピットデータ中の４ビットの相対アドレス情報とを組み合わせて合計で５ビットからなる組み合わせアドレス情報を得て、この組み合わせアドレス情報により一つのＥＣＣブロックを構成する３２セクタ分のアドレス情報を得ることができる。言い換えると、１ビットを用いた２種類のプリピット同期信号１，２による同期信号パターン情報でプリピットデータ中の相対アドレス情報の一部を兼ねることで、ＥＣＣブロック内のアドレス情報量を増大させることができる。
【００６２】
更に、２通りのプリピット同期信号１及びプリピット同期信号２は、相対セクタアドレスの最上位ビットとして用いており、且つ、一つのＥＣＣブロック中でプリピット同期信号１が前半の１６セクタの同期コードとし、プリピット同期信号２が後半の１６セクタの同期コードとなっているが、これに限定されることなく、例えば、奇数番目のセクタにプリピット同期信号１を、偶数番目のセクタにプリピット同期信号２を割り当てるなども可能である。
【００６３】
また、図８（ｂ）のような例に限らず、本発明によれば、ランドプリピット５中のプリピット同期信号をアドレス情報と兼用するため、ｎ個の同期信号パターン情報を有するプリピット同期信号と、プリピットデータ中のｍビットのアドレスビットとを組み合わせた組み合わせアドレス情報により、従来では２ｍセクタ分しか表せないところが、ｎ×２ｍセクタの相対アドレスが表すことができ、一つのＥＣＣブロック中にセクタ数が多い場合でも第１，第２実施例の光ディスク装置２０Ａ，２０Ｂ（図９，図１５）によって適切な記録が行えると共にＥＣＣブロックあたりのセクタ数を増やしてエラー訂正能力を向上させることが可能であり、高密度で、より高精度の光ディスク１が得られる。
【００６４】
＜第１実施例の光ディスク装置＞
図９は本発明に係る第１実施例の光ディスク装置を示した構成図、
図１０は本発明に係る第１実施例の光ディスク装置を用いて、光ディスクのランド上に形成した山側（外周側）のランドプリピットを検出する場合を説明するための図、
図１１は山側（外周側）のランドプリピットによるランドプリピット信号を２値化する際の各信号を示した図、
図１２は本発明に係る第１実施例の光ディスク装置を用いて、光ディスクのランド上に形成した谷側（内周側）のランドプリピットを検出する場合を説明するための図、
図１３は谷側（内周側）のランドプリピットによるランドプリピット信号を２値化する際の各信号を示した図、
図１４は山側（外周側）のランドプリピットによるランドプリピット信号と、谷側（内周側）のランドプリピットによるランドプリピット信号とをそれぞれ２値化した時の状態を説明するため図である。
【００６５】
図９に示した如く、本発明に係る第１実施例の光ディスク記録再生装置２０Ａでは、スピンドルモータ２１の軸に固着したターンテーブル２２上に前記した光ディスク１が回転自在に装着されている。また、光ディスク１と対向して光ピックアップ２３が光ディスク１の径方向に移動自在に設けられている。この光ピックアップ２３は、内部に設置した半導体レーザ（図示せず）からのレーザ光を対物レンズ（図示せず）により光ディスク１上にビームスポットＢを照射すると共に、光ディスク１上に照射したビームスポットＢが光ディスク１の金属反射層７（図１）で反射された戻りの反射光を４分割型のホト・ディテクタＰＤで検出している。
【００６６】
また、光ピックアップ２３では、光ディスク１の相変化記録層６（図１）に情報信号を記録する際にレーザパワーが強い記録用のビームスポットＢを光ディスク１の相変化記録層６に照射し、光ディスク１の相変化記録層６に記録した情報信号を再生する際にレーザパワーが弱い再生用のビームスポットＢを光ディスク１の相変化記録層６に照射しているが、以下の説明では再生時についてのみ説明する。
【００６７】
そして、光ディスク１からの戻りの反射光は、光ピックアップ２３内の４分割型のホト・ディテクタＰＤにより光電変換された後、プリアンプ２４に入力されている。
【００６８】
ここで、図１０（ａ）及び図１２（ａ）に拡大して示した如く、上記した４分割型のホト・ディテクタＰＤは略矩形状に形成されており、光ディスク１の半径方向に沿った直線とグルーブ方向（トラック方向）に沿った直線とで全受光領域が４等分割されているものの、このホト・ディテクタＰＤ上に結像した戻りのビームスポットＢは光ディスク１の外周側の２つの受光領域Ａ及び受光領域Ｂの組みと、内周側の２つの受光領域Ｃ及び受光領域Ｄの組みとで２つの組みに分けられて、光ディスク１のトラック方向に沿った直線に対して２分割した状態になっている。
【００６９】
尚、第１実施例では、４分割型のホト・ディテクタＰＤを用いているが、光ディスク１のトラック方向に沿った直線に対して２分割した２分割のホト・ディテクタ（図示せず）を用いても良く、この場合には第１受光領域は４分割型のホト・ディテクタＰＤ中の（Ａ＋Ｂ）に相当する領域とし、第２受光領域は４分割型のホト・ディテクタＰＤ中の（Ｃ＋Ｄ）に相当する領域として扱えば良いものである。
【００７０】
図９に戻り、プリアンプ２４ではホト・ディテクタＰＤの受光領域Ａ〜Ｄの各出力をそれぞれ増幅している。この後、プリアンプ２４で増幅した受光領域Ａ，Ｂの出力は（Ａ＋Ｂ）回路２５に入力されてここで両者が加算されて、（Ａ＋Ｂ）信号が得られ、この（Ａ＋Ｂ）信号は｛（Ａ＋Ｂ）−ｋ（Ｃ＋Ｄ）｝回路２６に入力される。
【００７１】
また、プリアンプ２４で増幅した受光領域Ｃ，Ｄの出力は（Ｃ＋Ｄ）回路２７に入力されてここで両者が加算された後に−ｋ係数回路２８に入力され、この−ｋ係数回路２８で（Ｃ＋Ｄ）信号に対して−ｋの係数が乗算されて｛−ｋ（Ｃ＋Ｄ）｝信号を得て、この｛−ｋ（Ｃ＋Ｄ）｝信号が｛（Ａ＋Ｂ）−ｋ（Ｃ＋Ｄ）｝回路２６に入力される。この際、−ｋの係数は、光ディスク１の相変化記録層６（図１）中のピット形状に応じて、−０．７〜−０．９程度に設定されている。
【００７２】
この後、｛（Ａ＋Ｂ）−ｋ（Ｃ＋Ｄ）｝回路２６では、（Ａ＋Ｂ）回路２５からの（Ａ＋Ｂ）信号と、−ｋ係数回路２８からの｛−ｋ（Ｃ＋Ｄ）｝信号とによりラジアルプッシュプル信号｛（Ａ＋Ｂ）−ｋ（Ｃ＋Ｄ）｝が得られる。このラジアルプッシュプル信号｛（Ａ＋Ｂ）−ｋ（Ｃ＋Ｄ）｝は、グルーブ３によるウォブル信号ＷＢＬと、ランドプリピット５によるランドプリピット信号ＬＰＰとが含まれている。
【００７３】
尚、上記とは異なって、（Ａ＋Ｂ）信号に−１／ｋの係数を乗算して、ラジアルプッシュプル信号｛（Ｃ＋Ｄ）−１／ｋ（Ａ＋Ｂ）｝を得ても良い。
【００７４】
この後、｛（Ａ＋Ｂ）−ｋ（Ｃ＋Ｄ）｝回路２６からのラジアルプッシュプル信号｛（Ａ＋Ｂ）−ｋ（Ｃ＋Ｄ）｝は、サンプル／ホールド回路（以下、Ｓ／Ｈ回路と記す）２９と、後述する第１，第２ＬＰＰ２値化回路３７，４０とにそれぞれ入力される。
【００７５】
上記したＳ／Ｈ回路２９は、ビームスポットＢで一つのグルーブ３をトラッキングしながら走査している時に一つのグルーブ３のウォブル信号ＷＢＬを抽出するためのウォブル信号抽出手段である。このＳ／Ｈ回路２９では、ランドプリピット信号ＬＰＰが存在しない時にはラジアルプッシュプル信号｛（Ａ＋Ｂ）−ｋ（Ｃ＋Ｄ）｝に対してサンプリングすると共に、後述するＬＰＰ用窓開け回路３２からのＬＰＰ用窓開け信号によりランドプリピット信号ＬＰＰが存在する期間中はランドプリピット信号ＬＰＰに対してマスキング（ホールド）することによりウォブル信号ＷＢＬのみが抽出され、このウォブル信号ＷＢＬのみをバンドパスフィルタ回路（以下、ＢＰＦ回路と記す）３０に入力してここでノイズ成分を除去して、ＢＰＦ回路３０からのウォブル信号ＷＢＬをＷＢＬ２値化回路３１，加算回路３６，減算回路３９にそれぞれ入力している。
【００７６】
上記したＷＢＬ２値化回路３１では、ＢＰＦ回路３０からのウォブル信号ＷＢＬに対して２値化すると共に、２値化したウォブル信号ＷＢＬをＬＰＰ用窓開け回路３２と、ＷＢＬ・ＰＬＬ回路３３とにそれぞれ入力している。
【００７７】
そして、ＬＰＰ用窓開け回路３２では、２値化したウォブル信号ＷＢＬの立上がりエッジを基準にして、ランドプリピット信号ＬＰＰが存在する期間に対してのみＬＰＰ用窓開け信号を生成してこのＬＰＰ用窓開け信号信号をＳ／Ｈ回路２９に供給している。
【００７８】
また、ＷＢＬ・ＰＬＬ回路３３では、２値化したウォブル信号ＷＢＬに基づいてこの内部のＰＬＬを作動させてクロックを生成し、このクロックを第１，第２アドレスデコード回路３８，４１にそれぞれ供給している。
【００７９】
また、光ディスク装置２０Ａの全体制御を行うためのＣＰＵ３４は、バイアス設定回路３５を作動させて、このバイアス回路３５で加算回路３６に供給するための第１ＤＣバイアス電圧と、減算回路３９に供給するための第２ＤＣバイアス電圧とを生成している。
【００８０】
次に、加算回路３６，第１ＬＰＰ２値化回路３７，第１アドレスデコード回路３８は、ビームスポットＢで一つのグルーブ３をトラッキングしながら走査している時に、この一つのグルーブ３の外周側のランド４上に形成された山側（外周側）のランドプリピット５ａを検出するための回路である。ここで、加算回路３６にはＢＰＦ３０から出力されたウォブル信号ＷＢＬが入力され、このウォブル信号ＷＢＬに対してバイアス設定回路３５からの第１ＤＣバイアス電圧が加算されて、加算された値が山側（外周側）のランドプリピット５ａによるランドプリピット信号ＬＰＰへの２値化時の第１スライスレベル（閾値）として設定される。
【００８１】
この後、第１ＬＰＰ２値化回路３７では、｛（Ａ＋Ｂ）−ｋ（Ｃ＋Ｄ）｝回路２６から入力されたラジアルプッシュプル信号｛（Ａ＋Ｂ）−ｋ（Ｃ＋Ｄ）｝に対して加算回路３６により設定された第１スライスレベル（閾値）に基づいて山側（外周側）のランドプリピット５ａによるランドプリピット信号ＬＰＰのみが２値化され、２値化された山側（外周側）のランドプリピット５ａによるランドプリピット信号ＬＰＰが第１アドレスデコード回路３８に入力される。
【００８２】
上記した第１アドレスデコード回路３８では、ＷＢＬ・ＰＬＬ回路３３からのクロックを基準として、第１ＬＰＰ２値化回路３７からの２値化された山側（外周側）のランドプリピット５ａによるランドプリピット信号ＬＰＰをデコードすることで、山側（外周側）のランドプリピット５ａを確実に検出することができる。
【００８３】
一方、減算回路３９，第２ＬＰＰ２値化回路４０，第２アドレスデコード回路４１は、ビームスポットＢで一つのグルーブ３をトラッキングしながら走査している時に、この一つのグルーブ３の内周側のランド４上に形成された谷側（内周側）のランドプリピット５ｂを検出するための回路である。ここで、減算回路３９にはＢＰＦ３０から出力されたウォブル信号ＷＢＬが入力され、このウォブル信号ＷＢＬに対してバイアス設定回路３５からの第２ＤＣバイアス電圧が減算されて、減算された値が谷側（内周側）のランドプリピット５ｂによるランドプリピット信号ＬＰＰへの２値化時の第２スライスレベル（閾値）として設定される。
【００８４】
この後、第２ＬＰＰ２値化回路４０では、｛（Ａ＋Ｂ）−ｋ（Ｃ＋Ｄ）｝回路２６から入力されたラジアルプッシュプル信号｛（Ａ＋Ｂ）−ｋ（Ｃ＋Ｄ）｝に対して減算回路３９により設定された第２スライスレベル（閾値）に基づいて谷側（内周側）のランドプリピット５ｂによるランドプリピット信号ＬＰＰのみが２値化され、２値化された谷側（内周側）のランドプリピット５ｂによるランドプリピット信号ＬＰＰが第２アドレスデコード回路４１に入力される。
【００８５】
上記した第２アドレスデコード回路４１では、ＷＢＬ・ＰＬＬ回路３３からのクロックを基準として、第２ＬＰＰ２値化回路４０からの２値化された谷側（内周側）のランドプリピット５ｂによるランドプリピット信号ＬＰＰをデコードすることで、谷側（内周側）のランドプリピット５ｂを確実に検出することができる。
【００８６】
そして、第１アドレスデコード回路３８でデコードした山側（外周側）のランドプリピット５ａの出力信号と、第２アドレスデコード回路４１でデコードした谷側（内周側）のランドプリピット５ｂの出力信号とをＣＰＵ３４を介してアクセス制御回路４２に供給することで、山側（外周側）のランドプリピット５ａによるアドレス情報と、谷側（内周側）のランドプリピット５ｂによるアドレス情報とに基づいて、光ピックアップ２３が目的とするアドレス位置に確実に移動できる。
【００８７】
また、（Ａ＋Ｂ）回路２５からの（Ａ＋Ｂ）信号と、（Ｃ＋Ｄ）回路２７からの（Ｃ＋Ｄ）信号とを（Ａ＋Ｂ＋Ｃ＋Ｄ）回路４３に入力し、ここで両者を加算して（Ａ＋Ｂ＋Ｃ＋Ｄ）信号を得て、この（Ａ＋Ｂ＋Ｃ＋Ｄ）信号を情報信号デコード回路４４でデコードすることにより、光ディスク１からの情報信号を再生している。
【００８８】
ここで、第１実施例の光ディスク装置２０Ａにより、本発明の要部となる山側（外周側）及び谷側（内周側）のランドプリピット５ａ，５ｂを確実に検出する場合を図９，図１０〜図１４を併用してより具体的に詳述する。
【００８９】
まず、山側（外周側）のランドプリピット５ａを検出する場合に、図１０（ａ）に示した如く、ビームスポットＢで一つのグルーブ３を走査している時に、ホト・ディテクタＰＤの受光領域Ａ，Ｂ側に山側（外周側）のランドプリピット５ａが存在している状態であり、且つ、ホト・ディテクタＰＤの受光領域Ｃ，Ｄ側にはランドプリピット５が存在していない状態である。この状態では、図１０（ｂ）に示したように、山側（外周側）のランドプリピット５ａに対して（Ａ＋Ｂ）回路２５で得られた（Ａ＋Ｂ）信号は０レベルより上方で且つウォブル信号ＷＢＬより上方に山側（外周側）のランドプリピット５ａによるランドプリピット信号ＬＰＰがある。
【００９０】
一方、ホト・ディテクタＰＤで検出する信号は、ビームスポットＢによる回折現象などの影響があるために、山側（外周側）のランドプリピット５ａに対してホト・ディテクタＰＤの受光領域Ｃ，Ｄにも影響があり、（Ｃ＋Ｄ）回路２７では（Ａ＋Ｂ）信号に対して上下を反転させたような（Ｃ＋Ｄ）信号が得られ、この（Ｃ＋Ｄ）信号は０レベルより上方で且つウォブル信号ＷＢＬより下方に山側（外周側）のランドプリピット５ａによるランドプリピット信号ＬＰＰがある。
【００９１】
この後、−ｋ係数回路２８で（Ｃ＋Ｄ）信号に対して−ｋの係数を乗算すると、図１０（ｃ）に示したように、０レベルより上方に（Ａ＋Ｂ）信号が、０レベルより下方に−ｋ（Ｃ＋Ｄ）信号がそれぞれ得られ、（Ａ＋Ｂ）信号及び−ｋ（Ｃ＋Ｄ）信号は共にウォブル信号ＷＢＬより上方に山側（外周側）のランドプリピット５ａによるランドプリピット信号ＬＰＰがあるような向きとなり、これを｛（Ａ＋Ｂ）−ｋ（Ｃ＋Ｄ）｝回路２６で演算すると、図１１（ａ）に示したように、ウォブル信号ＷＢＬより上方に山側（外周側）のランドプリピット５ａによるランドプリピット信号ＬＰＰがあるようなラジアルプッシュプル信号｛（Ａ＋Ｂ）−ｋ（Ｃ＋Ｄ）｝が得られる。
【００９２】
また、グルーブ３はｓｉｎｅカーブ又はｃｏｓｉｎｅカーブ状にウォブルされているので、ＢＰＦ３０を通して得られたウォブル信号ＷＢＬを基にして、ＷＢＬ２値化回路３１によりウォブル信号ＷＢＬを２値化して、図１１（ｂ）に示したように２値化したウォブル信号ＷＢＬが得られる。
【００９３】
また、ＬＰＰ用窓開け回路３２では、２値化したウォブル信号ＷＢＬの立上がりエッジを基準にして、山側（外周側）及び谷側（内周側）のランドプリピット５ａ，５ｂによるランドプリピット信号ＬＰＰが存在する期間のみに対して図１１（ｃ）に示したようなＬＰＰ用窓開け信号を生成している。この際、山側（外周側）及び谷側（内周側）のランドプリピット５ａ，５ｂによるランドプリピット信号ＬＰＰは、ウォブル信号ＷＢＬの立上がりエッジから所定の期間隔てた位置に存在することが予めわかっているので、ＬＰＰ用窓開け信号を生成することができる。
【００９４】
また、Ｓ／Ｈ回路２９では、ＬＰＰ用窓開け信号によってＬＰＰ用窓が開けられている期間中のみ、山側（外周側）及び谷側（内周側）のランドプリピット５ａ，５ｂによるランドプリピット信号ＬＰＰをマスキング（ホールド）しているので、図１１（ｄ）に示したようにこのＬＰＰ用窓開け信号期間中はノイズ分のないウォブル信号ＷＢＬが得られる。
【００９５】
また、加算回路３６には、図１１（ｅ）に示したようなＢＰＦ３０からのウォブル信号ＷＢＬと、図１１（ｆ）に示したようなバイアス設定回路３５からの＋Ｄ１Ｖの第１ＤＣバイアス電圧とが入力され、両者を加算することで、山側（外周側）のランドプリピット５ａによるランドプリピット信号ＬＰＰに対する第１スライスレベル（閾値）は図１１（ｇ）に示したようにウォブリング信号ＷＢＬよりも＋Ｄ１Ｖだけ上方に上がった値として設定される。
【００９６】
そして、第１ＬＰＰ２値化回路３７では、図１１（ｇ）に示した第１スライスレベル（閾値）を基にして、｛（Ａ＋Ｂ）−ｋ（Ｃ＋Ｄ）｝回路２６から入力されたラジアルプッシュプル信号｛（Ａ＋Ｂ）−ｋ（Ｃ＋Ｄ）｝に対して山側（外周側）のランドプリピット５ａによるランドプリピット信号ＬＰＰのみを２値化して、図１１（ｈ）に示したように山側（外周側）のランドプリピット５ａによるランドプリピット信号ＬＰＰに対する２値化出力が得られる。
【００９７】
次に、谷側（内周側）のランドプリピット５ｂを検出する場合に、図１２（ａ）に示した如く、ビームスポットＢで一つのグルーブ３を走査している時に、ホト・ディテクタＰＤの受光領域Ａ，Ｂ側にはランドプリピット５が存在していない状態であり、且つ、ホト・ディテクタＰＤの受光領域Ｃ，Ｄ側に谷側（内周側）のランドプリピット５ｂが存在している状態である。この状態では、図１２（ｂ）に示したように、谷側（内周側）のランドプリピット５ｂに対して（Ｃ＋Ｄ）回路２７で得られた（Ｃ＋Ｄ）信号は０レベルより上方で且つウォブル信号ＷＢＬより上方に谷側（内周側）のランドプリピット５ｂによるランドプリピット信号ＬＰＰがある。
【００９８】
一方、ホト・ディテクタＰＤで検出する信号は、ビームスポットＢによる回折現象などの影響があるために、谷側（内周側）のランドプリピット５ｂに対してホト・ディテクタＰＤの受光領域Ａ，Ｂにも影響があり、（Ａ＋Ｂ）回路２５では（Ｃ＋Ｄ）信号に対して上下を反転させたような（Ａ＋Ｂ）信号が得られ、この（Ａ＋Ｂ）信号は０レベルより上方で且つウォブル信号ＷＢＬより下方に谷側（内周側）のランドプリピット５ｂによるランドプリピット信号ＬＰＰがある。
【００９９】
この後、−ｋ係数回路２８で（Ｃ＋Ｄ）信号に対して−ｋの係数を乗算すると、図１２（ｃ）に示したように、０レベルより上方に（Ａ＋Ｂ）信号が、０レベルより下方に−ｋ（Ｃ＋Ｄ）信号がそれぞれ得られ、（Ａ＋Ｂ）信号及び−ｋ（Ｃ＋Ｄ）信号は共にウォブル信号ＷＢＬより下方に谷側（内周側）のランドプリピット５ｂによるランドプリピット信号ＬＰＰがあるような向きとなり、これを｛（Ａ＋Ｂ）−ｋ（Ｃ＋Ｄ）｝回路２６で演算すると、図１３（ａ）に示したように、ウォブル信号ＷＢＬより下方に谷側（内周側）のランドプリピット５ｂによるランドプリピット信号ＬＰＰがあるようなラジアルプッシュプル信号｛（Ａ＋Ｂ）−ｋ（Ｃ＋Ｄ）｝が得られる。
【０１００】
また、グルーブ３はｓｉｎｅカーブ又はｃｏｓｉｎｅカーブ状にウォブルされているので、ＢＰＦ３０を通して得られたウォブル信号ＷＢＬを基にして、ＷＢＬ２値化回路３１によりウォブル信号ＷＢＬを２値化して図１３（ｂ）に示したように２値化したウォブル信号ＷＢＬが得られる。
【０１０１】
また、ＬＰＰ用窓開け回路３２では、２値化したウォブル信号ＷＢＬの立上がりエッジを基準にして、前述したように山側（外周側）及び谷側（内周側）のランドプリピット５ａ，５ｂによるランドプリピット信号ＬＰＰが存在する期間のみに対して図１３（ｃ）に示したようなＬＰＰ用窓開け信号を生成している。
【０１０２】
また、Ｓ／Ｈ回路２９では、前述したように山側（外周側）及び谷側（内周側）のランドプリピット５ａ，５ｂによるランドプリピット信号ＬＰＰをマスク（ホールド）しているので、図１３（ｄ）に示したようにこのＬＰＰ用窓開け信号期間中はノイズ分のないウォブル信号ＷＢＬが得られる。
【０１０３】
また、減算回路３９には、図１３（ｅ）に示したようなＢＰＦ３０からのウォブル信号ＷＢＬと、図１３（ｆ）に示したようなバイアス設定回路３５からの＋Ｄ２Ｖの第２ＤＣバイアス電圧とが入力され、ＢＰＦ３０からのウォブル信号ＷＢＬに対して第２ＤＣバイアス電圧を減算することで、谷側（内周側）のランドプリピット５ｂによるランドプリピット信号ＬＰＰ対にする第２スライスレベル（閾値）は図１３（ｇ）に示したようにウォブリング信号ＷＢＬよりも−Ｄ２Ｖだけ下方に下がった値として設定される。
【０１０４】
そして、第２ＬＰＰ２値化回路４０では、図１３（ｇ）に示した第２スライスレベル（閾値）を基にして、｛（Ａ＋Ｂ）−ｋ（Ｃ＋Ｄ）｝回路２６から入力されたラジアルプッシュプル信号｛（Ａ＋Ｂ）−ｋ（Ｃ＋Ｄ）｝に対して谷側（内周側）のランドプリピット５ｂによるランドプリピット信号ＬＰＰのみを２値化して、図１３（ｈ）に示したように谷側（内周側）のランドプリピット５ｂによるランドプリピット信号ＬＰＰに対する２値化出力が得られる。
【０１０５】
上記したように、グルーブ３に沿って山側（外周側）のランドプリピット５ａと、谷側（内周側）のランドプリピット５ｂとを合わせて図１４（ａ）に図示した場合に、山側（外周側）のランドプリピット５ａによるランドプリピット信号ＬＰＰへの第１スライスレベルはウォブル信号ＷＢＬより上方にあり、この第１スライスレベルでランドプリピット５ａによるランドプリピット信号ＬＰＰを２値化すると図１４（ｂ）に示した如くとなり、一方、谷側（内周側）のランドプリピット５ｂによるランドプリピット信号ＬＰＰへの第２スライスレベルはウォブル信号ＷＢＬより下方にあり、この第２スライスレベルでランドプリピット５ｂによるランドプリピット信号ＬＰＰを２値化すると図１４（ｃ）に示した如くとなる。
【０１０６】
従って、第１実施例の光ディスク装置２０Ａでは、グルーブ３の波形の山側（外周側又は内周側）に連接したランドプリピット５ａと、グルーブ３の波形の谷側（内周側又は外周側）に連接したランドプリピット５ｂとを検出することで、仮に山側のランドプリピット５ａが検出できずにビームスポットＢで走査中のグルーブ３のアドレス情報が読み取れない場合でも、谷側のランドプリピット５ｂを検出することでビームスポットＢで走査中のグルーブ３のアドレス情報を求めることができるので、光ディスク１への高密度化に伴って狭トラック化が図られても、ランドプリピット５の検出精度を向上することができる。
【０１０７】
＜第２実施例の光ディスク装置＞
図１５は本発明に係る第２実施例の光ディスク装置を示した構成図である。
【０１０８】
図１５に示した本発明に係る第２実施例の光ディスク装置２０Ｂは、先に図９を用いて説明した本発明に係る第１実施例の光ディスク装置２０Ａの構成と一部を除いて同様の構成であり、ここでは説明の便宜上、先に示した構成部材に対しては同一の符号を付し、且つ、異なる構成部材に新たな符号を付して第１実施例の光ディスク装置２０Ａに対して異なる点についてのみ説明する。
【０１０９】
上記した第２実施例の光ディスク装置２０Ｂでは、ホト・ディテクタＰＤの受光領域Ａ〜Ｄからの各出力によりラジアルプッシュプル信号を生成して、このラジアルプッシュプル信号からランドプリピット５を検出するに当たって、山側（外周側）のランドプリピット５ａを検出する時には、（Ｃ＋Ｄ）回路２７からの（Ｃ＋Ｄ）信号に対して−ｋ１係数回路２８Ａで−ｋ１の係数を乗算した後、｛（Ａ＋Ｂ）−ｋ１（Ｃ＋Ｄ）｝回路２６Ａで第１ラジアルプッシュプル信号｛（Ａ＋Ｂ）−ｋ１（Ｃ＋Ｄ）｝を得る一方、谷側（内周側）のランドプリピット５ｂを検出する時には、（Ｃ＋Ｄ）回路２７からの（Ｃ＋Ｄ）信号に対して−ｋ２係数回路２８Ｂで−ｋ２の係数を乗算した後、｛（Ａ＋Ｂ）−ｋ２（Ｃ＋Ｄ）｝回路２６Ｂで第２ラジアルプッシュプル信号｛（Ａ＋Ｂ）−ｋ２（Ｃ＋Ｄ）｝を得ている点が第１実施例と異なるものである。この際、−ｋ１の係数値と−ｋ２の係数値が同じ場合には第１実施例を適用すれば良く、両者の係数値が異なる場合にこの第２実施例を適用すれば良いものである。
【０１１０】
上記のように第２実施例の光ディスク装置２０Ｂを構成することで、山側（外周側）及び谷側（内周側）のランドプリピット５ａ，５ｂの検出時に、山側（外周側）及び谷側（内周側）用の第１，第２ラジアルプッシュプル信号の入力バランスを各係数−ｋ１，−ｋ２でそれぞれ独立に設定できるので、検出エラーの少ない最適な第１，第２ラジアルプッシュプル信号をそれぞれ得ることができ、山側（外周側）及び谷側（内周側）のランドプリピット５ａ，５ｂの検出の信頼性を向上できる。
【０１１１】
この際、開発中の光ディスク１に適用する場合、第２実施例では、例えば、−ｋ１の係数値を−０．７〜−０．９程度に設定し、−ｋ２の係数値を−０．９〜−１．１程度に設定すると、山側（外周側）及び谷側（内周側）のランドプリピット５ａ，５ｂの検出信頼性を確保できる。
【０１１２】
そして、｛（Ａ＋Ｂ）−ｋ１（Ｃ＋Ｄ）｝回路２６Ａからの第１ラジアルプッシュプル信号｛（Ａ＋Ｂ）−ｋ１（Ｃ＋Ｄ）｝をＳ／Ｈ回路２９Ａ，ＢＰＦ３０Ａを順に通して得た出力と、バイアス設定回路３５Ａからの＋Ｄ１Ｖの第１ＤＣ電圧とを加算回路３６で加算することにより、山側（外周側）のランドプリピット５ａによるランドプリピット信号ＬＰＰに対する第１スライスレベル（閾値）を設定している。
【０１１３】
一方、｛（Ａ＋Ｂ）−ｋ２（Ｃ＋Ｄ）｝回路２６Ｂからの第２ラジアルプッシュプル信号｛（Ａ＋Ｂ）−ｋ２（Ｃ＋Ｄ）｝をＳ／Ｈ回路２９Ｂ，ＢＰＦ３０Ｂを順に通して得た出力に対して、バイアス設定回路３５Ｂからの＋Ｄ２Ｖの第２ＤＣ電圧を減算回路３９で減算することにより、谷側（内周側）のランドプリピット５ｂによるランドプリピット信号ＬＰＰに対する第２スライスレベル（閾値）を設定している。
【０１１４】
尚、図１５中に示したＳ／Ｈ回路２９Ａ，２９Ｂと、ＢＰＦ回路３０Ａ，３０Ｂと、ＷＢＬ２値化回路３１Ａ，３１Ｂと、ＬＰＰ用窓開け回路３２Ａ，３２Ｂと、ＷＢＬ・ＰＬＬ回路３３Ａ，３３Ｂと、バイアス設定回路３５Ａ，３５Ｂは、第１実施例で説明したＳ／Ｈ回路２９と、ＢＰＦ回路３０と、ＷＢＬ２値化回路３１と、ＬＰＰ用窓開け回路３２と、ＷＢＬ・ＰＬＬ回路３３と、バイアス設定回路３５と同じ機能を備えているものであるからそれぞれ別々に分ける必要もなく、引き出し線の複雑化を避けるために分けて示したものであり、且つ、これらの構成部材について第１実施例で述べているので説明を省略する。
【０１１５】
尚、上記とは異なって、（Ａ＋Ｂ）信号に−１／ｋ１の係数と−１／ｋ２の係数とをそれぞれ乗算し、第１ラジアルプッシュプル信号｛（Ｃ＋Ｄ）−１／ｋ１（Ａ＋Ｂ）｝と第２ラジアルプッシュプル信号｛（Ｃ＋Ｄ）−１／ｋ２（Ａ＋Ｂ）｝とをそれぞれ得ても良い。
【０１１６】
上記した第２実施例では、ラジアルプッシュプル信号を生成して山側（外周側）及び谷側（内周側）及のランドプリピット５ａ，５ｂを検出する際に、第１，第２ラジアルプッシュプル信号への係数を山側（外周側）のランドプリピット５ａと、谷側（内周側）のランドプリピット５ｂとで別々な値に設定しているので、ランドプリピット５を有するいかなる種類の光ディスク１にも適用可能となる。
【０１１７】
次に、上記した第１，第２実施例の光ディスク装置２０Ａ，２０Ｂの変形例について簡略に説明する。
【０１１８】
この変形例では、グルーブ３の波形の谷側に連接したランドプリピット５ｂを検出する際には、第１，第２実施例と同様に、ウォブル信号抽出手段２９（又は２９Ｂ），３０（又は３０Ｂ）で抽出したグルーブ３のウォブル信号に対してバイアス設定回路３５（又は３５Ｂ）からのＤＣバイアス電圧を減算して、谷側のランドプリピット５ｂによるランドプリピット信号への２値化時のスライスレベルを設定し、｛（Ａ＋Ｂ）−ｋ（Ｃ＋Ｄ）｝回路２６又は｛（Ａ＋Ｂ）−ｋ２（Ｃ＋Ｄ）｝回路２６Ｂからのラジアルプッシュプル信号に対して上記したスライスレベルに基づいて谷側のランドプリピット信号を２値化している。これに対して、グルーブ３の波形の山側に連接したランドプリピット５ａを検出する際には、｛（Ａ＋Ｂ）−ｋ（Ｃ＋Ｄ）｝回路２６又は｛（Ａ＋Ｂ）−ｋ１（Ｃ＋Ｄ）｝回路２６Ａからのラジアルプッシュプル信号に対して従来法により抽出されたウォブル信号を周知の方法でピーク検波を行い、このピーク検波波形にＤＣバイアス電圧を加算して山側のランドプリピット５ａによるランドプリピット信号への２値化時のスライスレベルを設定し、山側のランドプリピット信号を２値化している。
【０１１９】
従って、上記した変形例では、グルーブ３の波形の谷側に連接することで検出しにくいランドプリピット５ｂに対して本発明の技術的思想を適用して谷側のランドプリピット信号を確実に読み取ることができ、一方、グルーブ３の波形の山側に連接することで検出し易いランドプリピット５ａに対しては周知のピーク検波方法を適用すれば良い。
【０１２０】
【発明の効果】
以上詳述した本発明に係る光ディスク装置において、請求項１記載によると、両側をウォブルしたグルーブと、隣り合うグルーブ間に位置したランドとを対にしたトラックがディスク基板上で螺旋状又は同心円状に形成され、且つ、ランド上にはグルーブに記録する情報信号へのアドレス情報がランドプリピットとして予め形成されていると共に、ランドプリピットはグルーブの両側で一方がグルーブの波形の山側に連接し、他方がグルーブの波形の谷側に連接して両者がそれぞれ所定の間隔を保ちつつ互いに一致しないように位置をずらして形成された光ディスクを用いて、ビームスポットで光ディスク上のグルーブを走査しながら光ディスクからの反射光をトラック方向に沿って少なくとも２分割した第１，第２受光領域を有するホト・ディテクタで受光し、第１，第２受光領域の各出力の差信号によるラジアルプッシュプル信号からグルーブに連接したランドプリピットを検出する際、とくに、第１，第２受光領域の各出力のうちいずれか一方の出力に対して第１係数を乗算する第１係数回路と、一方の出力に対して第１係数とは異なる第２係数を乗算する第２係数回路と、第１，第２受光領域の各出力のうちの他方の出力と第１係数回路の出力との差信号により、山側のランドプリピットのランドプリピット信号を検出するための第１ラジアルプッシュプル信号を生成する第１ラジアルプッシュプル信号生成手段と、他方の出力と第２係数回路の出力との差信号により、谷側のランドプリピットのランドプリピット信号を検出するための第２ラジアルプッシュプル信号を生成する第２ラジアルプッシュプル信号生成手段とにより、山側のランドプリピット信号と谷側のランドプリピット信号とを分けて算出することが可能になり、且つ、山側及び谷側用の第１，第２ラジアルプッシュプル信号の入力バランスを各係数−ｋ１，−ｋ２によりそれぞれ独立に設定できるので、検出エラーの少ない最適な第１，第２ラジアルプッシュプル信号を得ることができ、山側及び谷側の各ランドプリピットの検出精度を向上できる。
【０１２１】
また、請求項２記載によると、第１，第２ウォブル信号抽出手段は、山側及び谷側のランドプリピット信号が存在しない時には第１，第２ラジアルプッシュプル信号に対してサンプリングを行い、山側及び谷側のランドプリピット信号が存在する期間中は山側及び谷側のランドプリピット信号をマスキングしているので、ランドプリピット信号に影響されずにウォブル信号を抽出でき、このウォブル信号によって山側及び谷側のランドプリピット信号に対する第１，第２スライスレベルを設定することができる。
【図面の簡単な説明】
【図１】本発明に係る光ディスク装置に適用される光ディスクを説明するための斜視図である。
【図２】図１に示した光ディスクにおいて、ゾーンの構成を示した平面図である。
【図３】図１及び図２に示した光ディスクにおいて、ウォブルしたグルーブのウォブル周期を内周側と外周側に分けて模式的に示した図である。
【図４】本発明に係る光ディスク装置に適用される光ディスクにおいて、ランド上に形成したランドプリピットを説明するための図であり、（ａ）はランドプリピットの形状を模式的に示した図であり、（ｂ）はランドプリピットを検出した時のランドプリピット信号の波形を示した図である。
【図５】グルーブの同期フレーム内の信号形態を示した図である。
【図６】ランド上に形成したランドプリピットの種類を説明するための図である。
【図７】一つのセクタに対応して設けた複数のランドプリピットを示した図である。
【図８】（ａ）は一つのＥＣＣブロック中の一つのセクタのランドプリピットを示し、（ｂ）は一つのＥＣＣブロックと対応するランドプリピットブロックを示した図である。
【図９】本発明に係る第１実施例の光ディスク装置を示した構成図である。
【図１０】本発明に係る第１実施例の光ディスク装置を用いて、光ディスクのランド上に形成した山側（外周側）のランドプリピットを検出する場合を説明するための図である。
【図１１】山側（外周側）のランドプリピットによるランドプリピット信号を２値化する際の各信号を示した図である。
【図１２】本発明に係る第１実施例の光ディスク装置を用いて、光ディスクのランド上に形成した谷側（内周側）のランドプリピットを検出する場合を説明するための図である。
【図１３】谷側（内周側）のランドプリピットによるランドプリピット信号を２値化する際の各信号を示した図である。
【図１４】山側（外周側）のランドプリピットによるランドプリピット信号と、谷側（内周側）のランドプリピットによるランドプリピット信号とをそれぞれ２値化した時の状態を説明するため図である。
【図１５】本発明に係る第２実施例の光ディスク装置を示した構成図である。
【図１６】従来の光ディスクの一例を説明するための図であり、（ａ）はウォブルしたグルーブと隣り合うグルーブ間に位置するランドとを対にしたトラックを示し、（ｂ）は内周側，外周側のアドレスピットによるパルスを示した図である。
【図１７】従来の光ディスクの他例を説明するための図である。
【図１８】従来の光ディスクにおいて、（ａ）はウォブルしたグルーブのウォブル位相が逆の位相を持つ箇所を模式的に示し、（ｂ）は一つのグルーブの両側に隣接するランド上に形成したランドプリピット同士が重なり合う箇所を模式的に示した図である。
【符号の説明】
１…光ディスク、２…ディスク基板、
３…グルーブ、４…ランド、
５…ランドプリピット、
５ａ…山側（外周側）のランドプリピット、
５ｂ…谷側（内周側）のランドプリピット、
６…相変化記録層、７…金属反射層、
２０Ａ…第１実施例の光ディスク装置、
２０Ｂ…第２実施例の光ディスク装置、
２１…スピンドルモータ、２２…ターンテーブル、
２３…光ピックアップ、２４…プリアンプ、
２５…（Ａ＋Ｂ）回路、
２６…｛（Ａ＋Ｂ）−ｋ（Ｃ＋Ｄ）｝回路、
２６Ａ…｛（Ａ＋Ｂ）−ｋ１（Ｃ＋Ｄ）｝回路、
２６Ｂ…｛（Ａ＋Ｂ）−ｋ２（Ｃ＋Ｄ）｝回路、
２７…（Ｃ＋Ｄ）回路、
２８…−ｋ係数回路、２８Ａ…−ｋ１係数回路、２８Ｂ…−ｋ２係数回路、
２９，２９Ａ，２９Ｂ…サンプル／ホールド回路（Ｓ／Ｈ回路）、
３０，３０Ａ，３０Ｂ…バンドパスフィルタ回路（ＢＰＦ回路）、
３１，３１Ａ，３１Ｂ…ＷＢＬ２値化回路、
３２，３２Ａ，３２Ｂ…ＬＰＰ用窓開け回路、
３３，３３Ａ，３３Ｂ…ＷＢＬ・ＰＬＬ回路、
３４…ＣＰＵ、３５，３５Ａ，３５Ｂ…バイアス設定回路、
３６…加算回路、３７…第１ＬＰＰ２値化回路、
３８…第１アドレスデコード回路、
３９…減算回路、４０…第２ＬＰＰ２値化回路、
４１…第２アドレスデコード回路、
４２…アクセス制御回路、４３…（Ａ＋Ｂ＋Ｃ＋Ｄ）回路、
４４…情報信号デコード回路、
Ｂ…ビームスポット、ＰＤ…ホト・ディテクタ。
【図１】
0004333051.tif 000002
【図２】
0004333051.tif 000003
【図３】
0004333051.tif 000004
【図４】
0004333051.tif 000005
【図５】
0004333051.tif 000006
【図６】
0004333051.tif 000007
【図７】
0004333051.tif 000008
【図８】
0004333051.tif 000009
【図９】
0004333051.tif 000010
【図１０】
0004333051.tif 000011
【図１１】
0004333051.tif 000012
【図１２】
0004333051.tif 000013
【図１３】
0004333051.tif 000014
【図１４】
0004333051.tif 000015
【図１５】
0004333051.tif 000016
【図１６】
0004333051.tif 000017
【図１７】
0004333051.tif 000018
【図１８】
0004333051.tif 000019